(57)【要約】      （修正有）【課題】ホストを有するMP３プレーヤーの提供。【解決手段】本考案のMP３プレーヤーは、本体を設置し、本体表面は、ディスプレイ２０、及び、制御インターフェース３０を有し、本体内は、OTG制御装置６１０、保存装置５０、及び、マルチメディア制御器４０を設置し、保存装置は、マルチメディア制御器とOTG制御装置に連接され、且つ、マルチメディアはディスプレイに連接され、OTG制御装置は、マルチメディア制御器と制御インターフェースに連接され、ユーザーは、OTG制御装置により、電子製品を連接し、直接、制御インターフェースにより、保存装置と電子製品内に保存されたデータを出力、入力する。【選択図】図２
0003109826.tif 000002
【実用新案登録請求の範囲】
【請求項１】
ホストを有するMP３プレーヤーであって、前記MP３プレーヤーは、本体を設置し、前記本体表面は、状態を表示できるディスプレイ、及び、ユーザーが操作する制御インターフェースを有し、前記本体内は、保存装置、及び、サウンドデータを再生するマルチメディア制御器を設置し、前記保存装置は、前記マルチメディア制御器に連接され、且つ、前記マルチメディアは、前記ディスプレイに連接され、その改良は、
前記本体内は、電子製品を連接し、前記電子製品とデータ伝送を実行するOTG制御装置を設置し、前記OTG制御装置は、前記制御インターフェース、前記マルチメディア制御器、及び、前記保存装置に連接されることを特徴とするホストを有するMP３プレーヤー。
【請求項２】
前記OTG制御装置は、OTG制御器を設置し、前記OTG制御器は、連接ポートを連接し、且つ、前記連接ポートは、USB連接ポート、或いは、IEEE  １３９４連接ポートであることを特徴とする請求項１に記載のホストを有するMP３プレーヤー。
【請求項３】
前記本体内は、更に、電源供給器を有することを特徴とする請求項１に記載のホストを有するMP３プレーヤー。
【考案の詳細な説明】
【技術分野】
【０００１】
本考案は、ホストを有するMP３プレーヤーに関するものであって、特に、MP３プレーヤーは、直接、電子装置と連接し、サウンドデータを交換するか、或いは、それが保存するデータと電子装置が保存するデータを出力、或いは、入力して、ホストを通さなくても、ユーザーが便利にMP３プレーヤーを使用することができるものである。
【背景技術】
【０００２】
科学技術の発展に伴い、情報の伝達を更に、便利に、快速にするため、データ保存装置は、欠かすことができないものである。ハードディスク等の早期のデータ保存装置は、ハードディスクの構造上、モーターと磁気ヘッドを有するので、モーターと磁気ヘッドが運転する時、ハードディスクも振動をうけてしまい、ハードディスクは損壊したり、使用できなくなったりし、また、ハードディスクの体積が大きく、携帯に不便であるため、デジタルカメラ、MP３、PDA等の電子製品には使用できなかった。よって、業者はフラッシュメモリを開発し、制御チップによりフラッシュメモリを結合して、ポケットディスク、メモリカード等の新しい保存装置を生成し、且つ、フラッシュメモリは、低消耗電力、非揮発性、耐震、高メモリ密度等の長所を有して、モーター、磁気ヘッド等の素子を必要とせず、大幅に、体積を縮小して、デジタルカメラ、MP３、PDA等の電子製品に使用することができる。
【０００３】
しかし、この種は、フラッシュメモリが生成する保存装置、或いは、電子製品を利用し、ホスト（例えば、コンピュータ）に連接しないと、保存するデータを交換、或いは、保存の動作時に、二者をホストに連接しなければならない。もし、ユーザーは、ホスト設備がない情況である場合は、実行不能で、非常に不便である。よって、業者はOTG（ON−THE−GO）制御チップを発展させ、このOTG制御チップの最大の特色は、一つの方式を提供し、二つの装置を連結させ、コンピュータ、或いは、その他のホスト設備を必要とせずに、ポイント・ツー・ポイント（POINT  TO  POINT）の連結を達成する。
【０００４】
更に、フラッシュメモリが生成するMP３は、保存する楽曲を増加、或いは、変更したい場合、ホストに連接しなければならず、OTG制御チップの功能をフラッシュメモリが生成するMP３内に設置すれば、MP３は、その他の保存装置により、楽曲を変更したり、保存するデータを保存装置に伝送できたりするので、ホストが不要で、ユーザーには好都合である。
【考案の開示】
【考案が解決しようとする課題】
【０００５】
本考案は、MP３プレーヤー内に設置するOTG装置により、保存装置内のデータは、直接、電子製品が保存するデータと出力と入力を実行し、ユーザーに、使用勝手がよいMP３プレーヤーを提供することを目的とする。
【課題を解決するための手段】
【０００６】
上述の目的を達成するため、本考案のMP３プレーヤーは、本体を設置し、本体表面は、ディスプレイ、及び、制御インターフェースを有し、本体内は、OTG制御装置、保存装置、及び、マルチメディア制御器を設置し、保存装置は、マルチメディア制御器とOTG制御装置に連接され、且つ、マルチメディアはディスプレイに連接され、OTG制御装置は、マルチメディア制御器と制御インターフェースに連接され、ユーザーは、OTG制御装置により、電子製品を連接し、直接、制御インターフェースにより、保存装置と電子製品内に保存されたデータを出力、入力する。
【考案の効果】
【０００７】
ユーザーに、使用勝手がよいMP３プレーヤーを提供する。
【実施例１】
【０００８】
図１と図２は、本考案の実施例の外観図である。図から分かるように、MP３プレーヤーは、本体１０を設置し、本体１０表面はディスプレイ２０、及び、制御インターフェース３０を有し、本体１０内にマルチメディア制御器４０、保存装置５０、及び、OTG制御装置６０を設置する。
【０００９】
ディスプレイ２０は、MP３プレーヤーの状態を表示する。
【００１０】
制御インターフェース３０は、一つ、或いは、一つ以上のボタン３１０を有し、且つ、制御インターフェース３０は、ユーザーにMP３を操作させるものである。
【００１１】
マルチメディア制御器４０は、サウンドデータを再生し、且つ、マルチメディア制御器４０は、ディスプレイ２０に連接される。
【００１２】
保存装置５０は、マルチメディア制御器４０に連接され、且つ、保存装置は、フラッシュメモリ、或いは、ミニドライバーである。
【００１３】
OTG制御装置６０は、電子製品８０と連接され、ファイル伝送を実行する。且つ、OTG制御装置６０は、OTG制御器６１０を設置し、OTG制御器６１０は、連接ポート６２０を連接し、連接ポート６２０は、電子製品８０が設置するコネクタ８１０と電気的に接続される。OTG制御装置６０は、上述の制御インターフェース３０、マルチメディア制御器４０、保存装置５０と連接する。
【００１４】
MP３プレーヤーは、OTG制御装置６０が設置するOTG制御器６１０により、連接する連接ポート６２０が電子製品８０を連接しているかを検出し、連接ポート６２０が電子製品８０を連接していない時、ユーザーは、制御インターフェース３０が設置するボタン３１０を利用して、マルチメディア制御器４０、或いは、OTG制御装置６０に対し指令を下し、保存装置５０に保存されたデータに対し、再生、或いは、整理の動作を施す。OTG制御装置６０が設置するOTG制御器６１０が電磁製品８０のコネクタ８１０と連接ポート６２０の電気的接続を検出する時、OTG制御器６１０は、電子製品８０保存するデータ構造を識別し、識別の結果をディスプレイ２０に表示する。この時、ユーザーは、制御インターフェース３０が設置するボタン３１０により、保存装置５０と電子製品８０内に保存されたデータに対し、出力、或いは、入力の相関制御を施し、結果をディスプレイ２０上に表示して、MP３プレーヤーは、設置するOTG制御装置６０により、電子製品８０に連接されると共に、保存装置５０内に保存されたデータと電子製品内のデータを、出力、或いは、入力し、ホストを通じなくても、ユーザーはMP３の使用が便利である。
【００１５】
更に、連接ポート６２０は、ユニバーサル・シリアル・バス、或いは、IEEE  １３９４の形式で、電子製品８０は、ポケットディスク、読取装置、PDAである。
【００１６】
図２、図３は、本考案の実施例、及び、フローチャートである。図から分かるように、本考案のMP３の使用時、以下の工程を実行する。
（３００）開始
（３０１）OTG制御器６１０が、連接ポート６２０が電子製品８０に連接しているかを検出し、なければ、工程（３０２）を実行し、あれば、工程（３０３）を実行する。
（３０２）OTG制御器６１０により、保存装置５０を制御して、ユーザーは制御インターフェースが設置するボタン３１０により、保存装置５０内に保存されたデータに対し整理を行うか、或いは、OTG制御器６１０により、マルチメディア制御器４０を操作して、サウンドデータを再生し、更に、工程（３０７）を実行する。
（３０３）OTG制御器６１０は、電子製品８０が保存するデータを識別し、識別結果をディスプレイ２０に表示する。
（３０４）ユーザーは、制御インターフェース３０が設置するボタン３１０により、保存装置５０と電子製品８０内に保存されたデータに対し、出力、或いは、入力の相関指令を下し、なければ、工程（３０１）を、有れば、工程（３０５）を実行する。
（３０５）OTG制御器６１０は、保存装置５０、或いは、電子製品に対し、制御インターフェース３０が下した相関指令を実行する。
（３０６）OTG制御器６１０は、制御インターフェース３０が下した相関指令の実行結果をディスプレイ２０に表示する。
（３０７）終了
【実施例２】
【００１７】
図４と図５は、本考案のもう一つの好ましい実施例の外観図とブロック図である。図から分かるように、MP３プレーヤーは、MP３プレーヤーの使用時に必要な電源を供給する電源供給器７０を設置する。
【００１８】
更に、連接ポート６２０と電子製品８０が設置する連接器８１０は、コネクタ９０により電気的に接続される。
【００１９】
本考案は、MP３プレーヤー内に設置されたOTG制御装置を利用し、保存装置内のデータを、直接、電子製品が保存するデータと出力、入力を施し、ユーザーのMP３の使用が便利で、ホストを通じなくてもよい。
【００２０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００２１】
【図１】本考案の好ましい実施例の外観図である。
【図２】本考案の好ましい実施例のブロック図である。
【図３】本考案の好ましい実施例のフローチャートである。
【図４】本考案のもう一つの好ましい実施例の外観図である。
【図５】本考案のもう一つの好ましい実施例のブロック図である。
【符号の説明】
【００２２】
１０…本体
２０…ディスプレイ
３０…制御インターフェース
４０…マルチメディア制御器
５０…保存装置
６０…OTG制御装置
６１０…OTG制御器
６２０…連接ポート
７０…電源供給器
８０…電子製品
８１０…連接器
９０…コネクタ
【図１】
0003109826.tif 000003
【図２】
0003109826.tif 000004
【図３】
0003109826.tif 000005
【図４】
0003109826.tif 000006
【図５】
0003109826.tif 000007